(57)【要約】【課題】意図しない磁石の接近に対しても、収容ケース内に収容されたカプセル型内視鏡の誤動作を防止すること。【解決手段】カプセル型内視鏡２が収容ケース４０に収容され、ブリスターパック４１に設けられた保持部４１ｅ３および中蓋部４２に設けられた孔部４２ｅ１で保持された時に、この収容ケース４０のブリスターパック４１、中蓋部４２、滅菌シート４３および遮蔽部４４がこのカプセル型内視鏡２の電源操作可能範囲を覆うように構成される。【選択図】        図１３
2006187424.tif 000002
【特許請求の範囲】
【請求項１】
所定の磁力によって電源動作が可能なカプセル型内視鏡が収容される収容ケースにおいて、
前記収容されたカプセル型内視鏡の電源動作可能範囲の全方向を覆う囲繞手段を、
備えることを特徴とするカプセル型内視鏡の収容ケース。
【請求項２】
前記囲繞手段は、
前記カプセル型内視鏡を前記収容ケース内に保持する保持手段と、
前記保持空間領域を閉塞し、滅菌ガス透過性を有する滅菌シートと、
前記保持手段の下面を遮蔽する遮蔽手段と、
を備えることを特徴とする請求項１に記載のカプセル型内視鏡の収容ケース。
【請求項３】
前記保持手段は、互いの間にカプセル型内視鏡を保持するための保持空間領域を形成し、前記保持空間領域内に前記カプセル型内視鏡を収容して保持する第１および第２の保持手段からなることを特徴とする請求項２に記載のカプセル型内視鏡の収容ケース。
【請求項４】
前記第１および第２の保持手段のいずれか一方が他方の保持手段内に収容されることを特徴とする請求項３に記載のカプセル型内視鏡の収容ケース。
【発明の詳細な説明】
【技術分野】
【０００１】
本発明は、被検体内に導入されて被検体内部の画像情報を取得する被検体内情報取得装置、たとえば飲み込み型のカプセル型内視鏡を収容するカプセル型内視鏡の収容ケースに関するものである。
【背景技術】
【０００２】
近年、内視鏡の分野では、撮像機能と無線機能とが装備されたカプセル型内視鏡が登場している。このカプセル型内視鏡は、観察（検査）のために被検体である被検者に飲み込まれた後、被検者の生体から自然排出されるまでの観察期間、胃、小腸などの臓器の内部（体腔内）をその蠕動運動に伴って移動し、撮像機能を用いて順次撮像する構成である。
【０００３】
また、これら臓器内の移動によるこの観察期間、カプセル型内視鏡によって体腔内で撮像された画像データは、順次無線通信などの無線機能により、被検体の外部に設けられた外部装置に送信され、外部装置内に設けられたメモリに蓄積される。被検者がこの無線機能とメモリ機能を備えた外部装置を携帯することにより、被検者は、カプセル型内視鏡を飲み込んだ後、排出されるまでの観察期間、不自由を被ることなく行動が可能になる。観察後は、医者もしくは看護士によって、外部装置のメモリに蓄積された画像データに基づいて、体腔内の画像をディスプレイなどの表示手段に表示させて診断を行うことができる。
【０００４】
この種のカプセル型内視鏡では、たとえば特許文献１に示すような飲み込み型のものがあり、カプセル型内視鏡の駆動を制御するため、内部に外部磁場によってオン・オフするリードスイッチを備え、この外部磁場を供給する永久磁石を含むパッケージに収容された構成が提案されている。すなわち、カプセル型内視鏡内に備わるリードスイッチは、一定強度以上の磁場が与えられた環境下では、オフ状態を維持し、外部磁場の強度が低下することによってオンする構造を有する。このため、パッケージに収容されている状態では、カプセル型内視鏡は駆動しない。そして、飲み込み時に、このカプセル型内視鏡をパッケージから取り出すことで、永久磁石から離隔してカプセル型内視鏡が磁力の影響を受けなくなり、駆動を開始する。このような構成を有することによって、パッケージ内に収容された状態では、カプセル型内視鏡の駆動が防止可能となり、パッケージから取り出し後は、カプセル型内視鏡の撮像機能による画像の撮像および無線機能による画像信号の送信が行われていた。
【０００５】
【特許文献１】国際公開第０１／３５８１３号パンフレット
【発明の開示】
【発明が解決しようとする課題】
【０００６】
しかしながら、このような装置では、カプセル型内視鏡に影響を与える磁場の範囲はパッケージの外部にまで及び、たとえばこの外部磁場を打ち消すような磁場を発生する他の磁石が、この外部磁場の範囲に存在すると、カプセル型内視鏡が磁力の影響を受けなくなり、パッケージ内で誤動作してしまう恐れがある。
【０００７】
本発明は、上記問題に鑑みてなされたものであって、意図しない磁石の接近に対しても、収容ケース内に収容されたカプセル型内視鏡の誤動作を防止することができるカプセル型内視鏡の収容ケースを提供することを目的とする。
【課題を解決するための手段】
【０００８】
上述した課題を解決し、目的を達成するために、本発明にかかるカプセル型内視鏡の収容ケースは、所定の磁力によって電源動作が可能なカプセル型内視鏡が収容される収容ケースにおいて、前記収容されたカプセル型内視鏡の電源動作可能範囲の全方向を覆う囲繞手段を、備えることを特徴とする。
【０００９】
また、請求項２の発明にかかるカプセル型内視鏡の収容ケースは、上記発明において、前記囲繞手段は、前記カプセル型内視鏡を前記収容ケース内に保持する保持手段と、前記保持空間領域を閉塞し、滅菌ガス透過性を有する滅菌シートと、前記保持手段の下面を遮蔽する遮蔽手段と、を備えることを特徴とする。
【００１０】
また、請求項３の発明にかかるカプセル型内視鏡の収容ケースは、上記発明において、前記保持手段は、互いの間にカプセル型内視鏡を保持するための保持空間領域を形成し、前記保持空間領域内に前記カプセル型内視鏡を収容して保持する第１および第２の保持手段からなることを特徴とする。
【００１１】
また、請求項４の発明にかかるカプセル型内視鏡の収容ケースは、上記発明において、前記第１および第２の保持手段のいずれか一方が他方の保持手段内に収容されることを特徴とする。
【発明の効果】
【００１２】
本発明にかかるカプセル型内視鏡の収容ケースは、収容ケースに収容されたカプセル型内視鏡の電源動作可能範囲全体を囲繞手段で覆い、意図しない磁石の接近に対しても、この囲繞手段によって磁石がこの電源動作可能範囲内に入るのを阻止し、収容ケース内に収容されたカプセル型内視鏡の誤動作を防止することができるという効果を奏する。
【発明を実施するための最良の形態】
【００１３】
以下に、本発明にかかるカプセル型内視鏡の収容ケースの実施の形態を図１〜図１３の図面に基づいて詳細に説明する。なお、本発明は、これらの実施の形態に限定されるものではなく、本発明の要旨を逸脱しない範囲で種々の変更実施の形態が可能である。
【００１４】
（実施の形態１）
図１は、本発明にかかる無線型被検体内情報取得システムの概念を示すシステム概念図である。図１において、このカプセル型内視鏡システムは、被検体１の体腔内に導入される無線型被検体内情報取得装置としての飲み込み型のカプセル型内視鏡２と、被検体１の外部に配置されて、カプセル型内視鏡２との間で各種の情報を無線通信する体外装置である受信装置３とを備えている。また、無線型被検体内情報取得システムは、受信装置３が受信したデータに基づいて画像表示を行う表示装置４と、受信装置３と表示装置４間でデータの入出力を行う携帯型記録媒体５とを備えている。
【００１５】
カプセル型内視鏡２は、図２の側断面図に示すように、外装ケースである密閉容器１１と、密閉容器１１内にあって、たとえば体腔内の被検体部位を照明するための照明光を出射するＬＥＤなどの複数の発光素子２０と、照明光による反射光を受光して被検体部位を撮像するＣＣＤやＣＭＯＳなどの固体撮像素子２２（以下代表して、「ＣＣＤ２２」という）と、このＣＣＤ２２に被写体の像を結像させる結像レンズ２７と、このＣＣＤ２２で取得した画像情報などをＲＦ信号に変調して送信するＲＦ送信ユニット２４と、ＲＦ信号の電波を放出する送信アンテナ部２５と、電池２９などの構成要素を備える。
【００１６】
密閉容器１１は、人が飲み込める程度の大きさのものであり、略半球状の先端カバー１１ａと、筒形状の胴部カバー１１ｂとを弾性的に嵌合させて、内部を液密に封止する外装ケースを形成している。先端カバー１１ａは、略半球状のドーム形状であって、ドームの後側が円形状に開口している。この先端カバー１１ａは、透明性あるいは透光性を有する透明部材、たとえば光学的性能や強度を確保するのに好ましいシクロオレフィンポリマーあるいはポリカーボネイトなどで成形され、かつその表面を鏡面仕上げ加工が施された後述する鏡面仕上げ部１１ａ１を有し、発光素子２０からの照明光を密閉容器１１の外部に透過することを可能にするとともに、この照明光による被検体からの反射光を内部に透過することを可能にする。この鏡面仕上げ部１１ａ１は、固体撮像素子２２の撮像範囲などによって決まる所定の鏡面仕上げ範囲（図２中、一点鎖線ａ，ａで示す範囲）に形成される。
【００１７】
また、胴部カバー１１ｂは、先端カバー１１ａの後端に位置して、上記構成要素を覆う部材である。この胴部カバー１１ｂは、円筒形状の胴部と、略半球状のドーム形状の後端部を一体に形成し、この胴部の前側が円形状に開口している。この胴部カバー１１ｂは、強度を確保するのに好ましいポリサルフォンなどで形成され、後述する照明手段、撮像手段および電池２９を胴部に収容し、無線送信手段を後端部に収容している。
【００１８】
カプセル型内視鏡２は、図３のブロック図に示すように、密閉容器１１の内部に、照明手段としてのＬＥＤ２０およびＬＥＤ２０の駆動状態を制御するＬＥＤ駆動回路２１と、ＬＥＤ２０によって照射された領域からの反射光である体腔内の画像（被検体内情報）を結像レンズ２７を介して撮像する撮像手段としてのＣＣＤ２２およびＣＣＤ２２の駆動状態を制御するＣＣＤ駆動回路２３と、無線送信手段としてのＲＦ送信ユニット２４および送信アンテナ部２５とを備えている。
【００１９】
また、カプセル型内視鏡２は、これらＬＥＤ駆動回路２１、ＣＣＤ駆動回路２３およびＲＦ送信ユニット２４の動作を制御するシステムコントロール回路２６を備えることにより、このカプセル型内視鏡２が被検体１内に導入されている間、ＬＥＤ２０によって照射された被検部位の画像データをＣＣＤ２２によって取得するように動作している。この取得された画像データは、さらにＲＦ送信ユニット２４によってＲＦ信号に変換され、送信アンテナ部２５を介して被検体１の外部に送信されている。さらに、カプセル型内視鏡２は、システムコントロール回路２６に電力を供給する電池２９を備えており、システムコントロール回路２６は、電池２９から供給される駆動電力を他の構成要素（機能実行手段）に対して分配する機能を有している。
【００２０】
このシステムコントロール回路２６は、たとえば各構成要素と電池２９との間に接続された切り替え機能を有するスイッチ素子およびラッチ回路などを備えている。そして、このラッチ回路は、外部からの磁界が加わると、スイッチ素子をオン状態にし、それ以降はこのオン状態を保持して、電池２９からの駆動電力をカプセル型内視鏡２内の各構成要素に供給している。なお、この実施の形態では、カプセル型内視鏡２内に備わる撮像機能を有する撮像手段、照明機能を有する照明手段および無線機能を有する無線送信手段を総称して、所定の機能を実行する機能実行手段としている。具体的には、システムコントロール回路２６を除いたものは、予め設定された所定の機能を実行する機能実行手段である。
【００２１】
受信装置３は、図１に示すように、カプセル型内視鏡２から無線送信された体腔内の画像データを受信する無線受信手段としての機能を有する。この受信装置３は、被検体１に着用されるとともに、図示しない複数の受信用アンテナを有する受信ジャケット３１と、受信された無線信号の信号処理などを行う外部装置３２とを備える。
【００２２】
表示装置４は、カプセル型内視鏡２によって撮像された体腔内画像などを表示するためのものであり、携帯型記録媒体５によって得られるデータに基づいて画像表示を行うワークステーションなどのような構成を有する。具体的には、表示装置４は、ＣＲＴディスプレイ、液晶ディスプレイなどによって直接画像を表示する構成としても良いし、プリンタなどのように、他の媒体に画像を出力する構成としても良い。
【００２３】
携帯型記録媒体５は、外部装置３２および表示装置４にも接続可能であって、両者に対して装着されて、接続された時に情報の出力または記録が可能な構造を有する。この実施の形態では、携帯型記録媒体５は、カプセル型内視鏡２が被検体１の体腔内を移動している間は、外部装置３２に挿入されてカプセル型内視鏡２から送信されるデータを記録する。次に、カプセル型内視鏡２が被検体１から排出された後、つまり、被検体１の内部の撮像が終了した後には、外部装置３２から取り出されて表示装置４に挿入され、この表示装置４によって、携帯型記録媒体５に記録されたデータが読み出される構成を有する。たとえば、この携帯型記録媒体５は、コンパクトフラッシュ（登録商標）メモリなどから構成され、外部装置３２と表示装置４とのデータの入出力を、携帯型記録媒体５を介して間接的に行うことができ、外部装置３２と表示装置４との間が有線で直接接続された場合と異なり、被検体１が体腔内の撮影中に自由に動作することが可能となる。
【００２４】
ところで、機能実行手段を備えるカプセル型内視鏡は、被検者への使用前には、滅菌されてその滅菌状態を保つ必要がある。そこで、この実施の形態では、上記のカプセル型内視鏡２を滅菌可能な収容ケースに収容している。以下に図４〜図１２を用いて、実施の形態１にかかる収容ケースを説明する。ここで、図４は、このカプセル型内視鏡を収容する収容ケースの構成を示す斜視図であり、図５は、図４に示した収容ケースから滅菌シートを取り除いた場合の一例を示す斜視図であり、図６は、図５に示した収容ケースの上面を示す上面図であり、図７は、同じく収容ケースの側面を示す側面図であり、図８は、図５に示した実施の形態１にかかる中蓋部の上面を示す上面図であり、図９は、同じく実施の形態１にかかる中蓋部の側面を示す側面図であり、図１０は、図９に示した孔部の拡大したＡ−Ａ断面を示す断面図であり、図１１は、図５に示した収容ケースの上面を示す上面図であり、図１２は、図１１のＢ−Ｂ断面を示す断面図である。
【００２５】
まず、図４および図５において、収容ケース４０は、カプセル型内視鏡２を内部に収容可能な外部収容部からなるブリスターパック４１と、ブリスターパック４１内に備えられ、ブリスターパック４１との間でカプセル型内視鏡２を保持する内部収容部からなる中蓋部４２と、ブリスターパック４１の上面に設けられて、ブリスターパック４１の開口を閉塞する滅菌シート４３と、ブリスターパック４１の下面を遮蔽する遮蔽部４４を備える。なお、ブリスターパック４１と中蓋部４２とは、本発明にかかる第１および第２の保持手段を構成し、遮蔽部４４は、本発明にかかる遮蔽手段を構成している。
【００２６】
ブリスターパック４１は、図６および図７に示すように、有底の円筒部４１ａと、この円筒部４１ａの開口上縁の一部に設けられた舌片形状の取手部４１ｂと、この円筒部４１ａの開口上縁および取手部４１ｂの外周に設けられた縁部４１ｃと、円筒部４１ａの周面に設けられ、円筒部４１ａの内部から外部方向に突出した略半円柱形状の複数の突起部４１ｄとを備える。
【００２７】
この円筒部４１ａは、底面４１ｅを有し、この底面４１ｅは、円筒部４１ａの外周側に設けられた外側底面４１ｅ１と、この外側底面４１ｅ１の略中央部分に設けられた内側底面４１ｅ２とからなる。内側底面４１ｅ２は、所定半径の円盤形状に形成され、外側底面４１ｅ１は、内側底面４１ｅ２の位置から円筒部４１ａの外部（開口方向と逆方向）に向けて突出した底面からなり、下面が所定の幅を有する中空のドーナツ形状に形成されている。この外側底面４１ｅ１と内側底面４１ｅ２との間には、図７に示すように、高低差Ｄが生じている。また、内側底面４１ｅ２の中央部分には、内側底面４１ｅ２の位置から外側底面４１ｅ１方向に向けて窪んだ略半球形状の保持部４１ｅ３が設けられている。この保持部４１ｅ３は、カプセル型内視鏡２の胴部カバー１１ｂを構成するドーム形状の後端部を保持するためのもので、内側には開口方向に向って十文字形状の突起部４１ｅ４が設けられ、線接触で保持された胴部カバー１１ｂの後端部へ滅菌ガスが侵入して、この後端部全体をムラなく滅菌することを可能にしている。なお、この突起部４１ｅ４は、複数の突起で構成し、後端部をそれぞれ点接触で保持するように構成することも可能である。
【００２８】
取手部４１ｂは、上面が略三角形状の板状部材からなり、図５に示すように、後述する中蓋部４２の取手部４２ｂが当接可能に構成されている。縁部４１ｃは、所定の幅を有し、円筒部４１ａの開口上縁および取手部４１ｂの外周に、階段状に１段高く設けられ、取手部４１ｂに当接した中蓋部４２の取手部の動きを抑制している。また、この縁部４１ｃの高さは、取手部４１ｂに当接した中蓋部４２の取手部４２ｂや縁部４２ｃの厚みと同等以上に構成されており、この中蓋部４２がブリスターパック４１内に収容された状態で、縁部４１ｃの上面に滅菌シート４３の貼り付けを可能にしている。
【００２９】
この突起部４１ｄは、円筒部４１ａの長手方向に設けられた略半円柱形状の突起からなり、上端（円筒部４１ａの開口側）の径が最も大きく下端（底面４１ｅ側）にいくにしたがって径が徐々に小さくなるように構成され、かつ同一形状の突起部４１ｄが円筒部４１ａの長手方向に沿ってそれぞれが略等間隔に配置されている。この突起部４１ｄは、上端が開口し、下端が半ドーム形状の底面を形成している。なお、この実施の形態では、円筒部４１ａの周面に５つの突起部４１ｄがそれぞれ略等間隔に配置されている。
【００３０】
中蓋部４２は、図８および図９に示すように、有底の円筒部４２ａと、この円筒部４２ａの開口上縁の一部に設けられた舌片形状の取手部４２ｂと、この円筒部４１ａの開口上縁に取手部４２ｂと連なるように設けられた縁部４２ｃと、円筒部４２ａの内部から外部方向に突出した略半円柱形状の複数の突起部４２ｄとを備える。
【００３１】
この円筒部４２ａは、図８〜図１２に示すように、底面４２ｅを有し、この底面４２ｅの中央部分には、カプセル型内視鏡２を保持するための孔部４２ｅ１が設けられている。この孔部４２ｅ１は、底面４２ｅの位置から円筒部４２ａの内部（開口方向）に向けて突出した上面を有する略円筒の断面凸形状に形成されており、その内径は、カプセル型内視鏡２の外径より若干大きい内径で構成されている。この孔部４２ｅ１の内周には、孔部４２ｅ１の開口に向う長手方向に直線状の突起４２ｅ２が複数、この実施の形態では４つ形成されている。また、この孔部４２ｅ１の上面側には、段差部４２ｅ３が設けられており、この段差部４２ｅ３の内径は、孔部４２ｅ１の開口側の内径よりも、小さい径で構成されている。図１２に示すように、中蓋部４２がブリスターパック４１内に収容された時に、この円筒部４２ａの孔部４２ｅ１を含む底面４２ｅおよびブリスターパック４１の保持部４１ｅ３を含む内側底面４１ｅ２は、本発明にかかる保持空間領域４０ａを形成しており、カプセル型内視鏡２を収容して保持することを可能としている。
【００３２】
この実施の形態では、図９、図１２に示すように、孔部４２ｅ１にカプセル型内視鏡２の先端カバー１１ａ側が挿入された時に、一点鎖線ａ，ａの範囲内の鏡面仕上げ部１１ａ１が突起４２ｅ２および段差部４２ｅ３を含む孔部４２ｅ１の構成部分と非接触な状態になるように、突起４２ｅ２が密閉容器１１の胴部カバー１１ｂの一部を線接触で保持するとともに、段差部４２ｅ３の先端部が先端カバー１１ａの一部を線接触で保持するように構成されている。なお、これら突起４２ｅ２は、孔部４２ｅ１の長手方向に直線状に形成させるものに限らず、たとえば孔部４２ｅ１に複数の突起部を設け、密閉容器１１の胴部カバー１１ｂの一部をそれぞれ点接触で保持するように構成することも可能である。
【００３３】
取手部４２ｂは、上面が取手部４１ｂより略小型の略三角形状の板状部材からなり、図８、図１１に示すように、円筒部４１ａの開口上縁に設けられた縁部４２ｃと一体的に形成されている。この取手部４２ｂは、中蓋部４２がブリスターパック４１内に収容された時に、ブリスターパック４１の取手部４１ｂと当接可能に構成されている。また、縁部４２ｃは、円筒部４２ａの開口上縁に設けられ、中蓋部４２がブリスターパック４１内に収容された時に、ブリスターパック４１の開口上縁に当接可能に構成されている。上述したように、これら取手部４２ｂおよび縁部４２ｃの厚みは、ブリスターパック４１の縁部４１ｃの厚み以下に構成されている。そして、この中蓋部４２がブリスターパック４１内に収容された時に、この縁部４１ｃによって取手部４２ｂの動きが取手部４１ｂの幅の範囲に制限されるとともに、縁部４１ｃの上面に滅菌シート４３が貼り付けられると、これら取手部４２ｂおよび縁部４２ｃを含む中蓋部４２全体が、ブリスターパック４１内に収容された状態になる。
【００３４】
突起部４２ｄは、円筒部４２ａの長手方向に設けられた略半円柱形状の突起からなり、円筒部４２ａの長手方向に沿ってそれぞれが略等間隔に配置されている。この突起部４２ｄは、上端が開口し、下端が半ドーム形状の底面を形成している。なお、この実施の形態では、円筒部４２ａの周面に５つの突起部４２ｄがそれぞれ略等間隔に配置されている。これら突起部４２ｄは、中蓋部４２がブリスターパック４１内に収容されて取手部４１ｂと４２ｂが当接した状態で、それぞれがブリスターパック４１の突起部４１ｄと対向しない位置で、かつ突起部４２ｄの最突出部分が円筒部４１ａの内周面と接触可能に形成されて、ブリスターパック４１内での中蓋部４２のガタツキを防止している。
【００３５】
図５、図１１、図１２に示すように、ブリスターパック４１の突起部４１ｄ内周面と、中蓋部４２の円筒部４２ａの外周面との間には、本発明にかかる空隙による通路４０ｂが形成されており、滅菌シート４３を介して外部から侵入した滅菌ガスの通過を可能にしている。また、この通路４０ｂと保持空間領域４０ａとは互いに連通しており、通路４０ｂを通った滅菌ガスが保持空間領域４０ａへ到達するのを可能にしている。
【００３６】
また、カプセル型内視鏡２は、図１３に示すように、内部に外部からの磁界によってオン／オフ動作を行う電源供給用のリードスイッチ２ａを有しており、このリードスイッチ２ａがオン状態になって各機能実行手段に電源が供給されたことを、図２に示したＬＥＤ２０の点滅によって外部に知らしめる。このリードスイッチ２ａは、カプセル型内視鏡２の長手方向の略中央部に設けられており、リードスイッチ２ａから半径ｒ内に、図示しない永久磁石が近づいて所定の磁力が加わると、オンして電源動作が可能な球形状の電源動作可能範囲２ｂを有している。この実施の形態では、たとえばブリスターパック４１の底面４１ｅおよび中蓋部４２の底面４２ｅの直径は、この電源動作可能範囲２ｂの直径２ｒより長く構成されている。また、この実施の形態では、電源動作可能範囲２ｂは、カプセル型内視鏡２がブリスターパック４１の保持部４１ｅ３と中蓋部４２の孔部４２ｅ１とに保持された時に、内側底面４１ｅ２と保持部４１ｅ３を含み、かつ外側底面４１ｅ１と内側底面４１ｅ２の高さの範囲内に設定されるとともに、孔部４２ｅ１を含み、かつ円筒部４２ａの高さの範囲内に設定されている。
【００３７】
そこで、使用時には、滅菌シート４３を収容ケース４０から剥離させ、中蓋部４２の円筒部４２ａ内側に磁性体（磁石）を収納し、この収納された磁性体の磁界によってリードスイッチをオン状態にし、透明または半透明の孔部４２ｅ１からＬＥＤ２０の点滅状態を確認することが可能となる。すなわち、孔部４２ｅ１は、カプセル型内視鏡２の保持および保護機能の他に、ＬＥＤの点滅確認を容易にするための機能を有している。
【００３８】
また、遮蔽部４４は、円板形状に構成されて、ブリスターパック４１の下面である底面４１ｅを遮蔽するように、外側底面４１ｅ１に固設されている。この遮蔽部４４の直径は、底面４１ｅの直径と略同一に構成されており、電源動作可能範囲２ｂが存在する外側底面４１ｅ１内側の空間領域（内側底面４１ｅ２と保持部４１ｅ３の形成されている領域）４１ｅ４を外部から遮蔽することが可能となる。
【００３９】
このように、この実施の形態では、収容ケース４０に収容されたカプセル型内視鏡２の電源動作可能範囲２ｂ全体をブリスターパック４１、中蓋部４２、滅菌シート４３および遮蔽部４４で覆うので、意図しない磁石が収容ケース４０の接近に対しても、この磁石が電源動作可能範囲２ｂ内に入ることがなくなり、これによってリードスイッチに磁石の磁力が及ぶことがなくなって、収容ケース内に収容されたカプセル型内視鏡の誤動作を防止することができる。
【００４０】
また、この実施の形態では、ブリスターパックと中蓋部間に通路およびこの通路に連通する保持空間領域を形成し、かつ形成された保持空間領域内にカプセル型内視鏡を収容して線接触で保持することで、カプセル型内視鏡を確実に保持できるとともに、この通路および保持空間領域を閉塞するように、滅菌ガス透過性を有する滅菌シートでブリスターパックの開口を閉塞するので、ガス滅菌時に、カプセル型内視鏡の接触部分にも通路および保持空間領域を介して滅菌ガスが侵入して、ガス滅菌が施され、これによって収容ケースに収容されたカプセル型内視鏡全体をムラなく、確実に滅菌することができる。
【図面の簡単な説明】
【００４１】
【図１】本発明にかかる無線型被検体内情報取得システムの概念を示すシステム概念図である。
【図２】図１に示したカプセル型内視鏡の概略構成を示す側断面図である。
【図３】図２に示したカプセル型内視鏡の内部構成を示すブロック図である。
【図４】カプセル型内視鏡を収容する収容ケースの構成を示す斜視図である。
【図５】図４に示した収容ケースから滅菌シートを取り除いた場合の一例を示す斜視図である。
【図６】図５に示した収容ケースの上面を示す上面図である。
【図７】同じく、収容ケースの側面を示す側面図である。
【図８】図５に示した実施の形態１にかかる中蓋部の上面を示す上面図である。
【図９】同じく、実施の形態１にかかる中蓋部の側面を示す側面図である。
【図１０】図９に示した孔部の拡大したＡ−Ａ断面を示す断面図である。
【図１１】図５に示した収容ケースの上面を示す上面図である。
【図１２】図１１のＢ−Ｂ断面を示す断面図である。
【図１３】電源動作可能範囲を説明するための図１１と同様の断面図である。
【符号の説明】
【００４２】
１  被検体
２  カプセル型内視鏡
２ａ  リードスイッチ
２ｂ  電源動作可能範囲
３  受信装置
４  表示装置
５  携帯型記録媒体
１１  密閉容器
１１ａ  先端カバー
１１ａ１  鏡面仕上げ部
１１ｂ  胴部カバー
２０  発光素子（ＬＥＤ）
２１  ＬＥＤ駆動回路
２２  固体撮像素子
２３  ＣＣＤ駆動回路
２４  ＲＦ送信ユニット
２５  送信アンテナ部
２６  システムコントロール回路
２７  結像レンズ
２９  電池
３１  受信ジャケット
３２  外部装置
４０      収容ケース
４０ａ  保持空間領域
４０ｂ  通路
４１  ブリスターパック
４１ａ，４２ａ  円筒部
４１ｂ，４２ｂ  取手部
４１ｃ，４２ｃ  縁部
４１ｄ，４２ｄ  突起部
４１ｅ，４２ｅ  底面
４１ｅ１  外側底面
４１ｅ２  内側底面
４１ｅ３  保持部
４１ｅ４  突起部
４２  中蓋部
４２ｅ１  孔部
４２ｅ２  突起
４２ｅ３  段差部
４３  滅菌シート
４４  遮蔽部
【図１】
2006187424.tif 000003
【図２】
2006187424.tif 000004
【図３】
2006187424.tif 000005
【図４】
2006187424.tif 000006
【図５】
2006187424.tif 000007
【図６】
2006187424.tif 000008
【図７】
2006187424.tif 000009
【図８】
2006187424.tif 000010
【図９】
2006187424.tif 000011
【図１０】
2006187424.tif 000012
【図１１】
2006187424.tif 000013
【図１２】
2006187424.tif 000014
【図１３】
2006187424.tif 000015